(57)【要約】【課題】解決しようとする問題点は、ユーザーが好みにより色温度を変化させた時に選んだ色温度に応じて色の最適化で常に好ましい色再現を可能とする。【解決手段】本発明のテレビジョン受像機は、マイコン７の制御により、ホワイトバランス調整回路５において色温度の設定によるＢゲイン、Ｒゲインの変化に応じてＧ−Ｙマトリクス回路２のＢ−Ｙゲイン、Ｒ−Ｙゲインを最適化することにより、常に好ましい色再現が実現できる。【選択図】図１
2005191618.tif 000002
【特許請求の範囲】
【請求項１】
映像信号のデジタル処理を行いデジタル輝度信号および色差信号であるＵ信号とＶ信号からＲ−Ｙ信号、Ｂ−Ｙ信号、Ｇ−Ｙ信号とを発生するＧ−Ｙマトリクス回路と、前記Ｒ−Ｙ信号、前記Ｂ−Ｙ信号、前記Ｇ−Ｙ信号からＲＧＢ信号を発生するマトリクス回路と、ホワイトバランスを制御に応じ調整するホワイトバランス回路と、前記ホワイトバランス回路に色温度の調整する信号を出力するマイコンとを備え、前記マイコンは前記ホワイトバランス回路における色温度の調整の度合いに応じて前記Ｇ−Ｙマトリクス回路における前記Ｒ−Ｙ信号、前記Ｂ−Ｙ信号、前記Ｇ−Ｙ信号のゲインを調整する信号を前記前記Ｇ−Ｙマトリクス回路に出力することを特徴とするテレビジョン受像機。
【発明の詳細な説明】
【技術分野】
【０００１】
本発明は、色温度の設定をテレビジョン受像機において、色温度に応じた色の最適化を行なうテレビジョン受像機に関する。
【背景技術】
【０００２】
最近のテレビジョン受像機は、放送方式や仕向け地にあわせてホワイトバランスと色復調を設定している。また、ホワイトバランスを色温度設定としてユーザーが選べるようになっている。しかしながら、ユーザーがホワイトバランスを変更しても、色復調、マトリクスがそのままの設定であるか、あるいは好ましい色にするために改めて設定する必要があった（例えば、特許文献１参照）。
【特許文献１】特開平９−８４０４３号公報
【発明の開示】
【発明が解決しようとする課題】
【０００３】
解決しようとする問題点は、ユーザーが好みにより色温度を変化させた時に、選んだ色温度に応じて色の最適化によって常に好ましい色再現ができるテレビジョン受像機を提供する。
【課題を解決するための手段】
【０００４】
本発明は、色温度の変化に応じてトリクス回路を補正することで好ましい色表現を実現することを特徴とするものである。
【発明の効果】
【０００５】
本願発明のテレビジョン受像機によれば、色温度の変化に応じてマトリクス回路を補正することにより、色温度を変更した時にも常に好ましい色表現ができる。
【発明を実施するための最良の形態】
【０００６】
（実施の形態１）
図１は、本発明によるテレビジョン受像機の実施例のブロック図である。
【０００７】
１は映像信号の輝度信号であるＹ信号を入力し映像フォーマットを判別する映像フォーマット判別回路である。２は色信号であるＵ信号とＶ信号とをＢ−Ｙ信号、Ｒ−Ｙ信号、Ｇ−Ｙ信号とに変換するＧ−Ｙマトリクス回路である。３はＹ、Ｒ−Ｙ信号、Ｂ−Ｙ信号、Ｇ−Ｙ信号を入力しＲＧＢの信号生成するＲＧＢマトリクス回路である。４はＲＧＢ信号のコントラストガンマ回路である。５はＲＧＢ信号のＤＡコンバータである。
【０００８】
６はＲＧＢ信号それぞれカットオフの調整とＲ信号、Ｂ信号のゲイン調整とを行いホワイトバランスを調整するホワイトバランス調整回路である。７はコントラスト回路４の制御と、ホワイトバランス回路６、Ｇ−Ｙマトリクス回路２とを連動させて制御するマイコンである。
【０００９】
本発明のテレビジョン受像機について図１を用いて説明する。
【００１０】
映像フォーマット判別回路１において映像信号Ｙの映像フォーマットを判別し、５２５ｉ、５２５ｐとそれ以外の映像フォーマット１１２５ｉ、７５０ｐに分ける。
【００１１】
これは、映像フォーマットが５２５ｉまたは５２５ｐの場合ＮＴＳＣ（ＳＭＰＴＥ１７０Ｍ）の輝度方程式より、
Ｙ＝０．５８７Ｇ＋０．１１４Ｂ＋０．２９９Ｒ、
また映像フォーマットが１１２５ｉまたは７５０ｐの時は、
ＨＤＴＶの輝度方程式Ｙ＝０．２１６Ｒ＋０．７１５２Ｇ＋０．０７２２Ｂ
であるために、それぞれ別の処理をおこなうためである。
【００１２】
デジタル色差信号Ｕ，Ｖの信号はＧ−Ｙマトリクス回路２にてＢ−Ｙ信号、Ｒ−Ｙ信号、Ｇ−Ｙ信号に変換される。またＧ−Ｙマトリクス２は次の（数１）による行列の計算が行なわれる。
【００１３】
【数１】
2005191618.tif 000003
【００１４】
ＲＵ、ＲＶ、ＢＵ、ＢＶ、ＧＵ、ＧＶはマイコンで制御される任意の係数である。
【００１５】
ＮＴＳＣ輝度方程式をそのまま当てはめると、
Ｙ＝０．５８７Ｇ＋０．１１４Ｂ＋０．２９９Ｒ
これより、
Ｇ−Ｙ＝−０．１１４／０．５８７＊（Ｂ−Ｙ）−０．２９９／０．５８７＊（Ｒ−Ｙ）、（Ｂ−Ｙ）、（Ｒ−Ｙ）をそれぞれＵ，Ｖで現すと、
Ｂ−Ｙ＝１．７７２Ｕ、
Ｒ−Ｙ＝１．４０２Ｖ、
また、（Ｇ−Ｙ）をＵ，Ｖで現すと
Ｇ−Ｙ＝−０．３４４１３６２８６Ｕ−０．７１４１３６２８６Ｖ
となる。
【００１６】
次に、映像フォーマットが１１２５ｉまたは７５０ｐの時の場合は、
Ｙ＝０．２１６Ｒ＋０．７１５２Ｇ＋０．０７２２Ｂ
より、
Ｇ−Ｙ＝−０．２９７（Ｒ−Ｙ）−０．１０１（Ｂ−Ｙ）、
（Ｂ−Ｙ）、（Ｒ−Ｙ）をそれぞれＵ，Ｖで現すと、
Ｂ−Ｙ＝１．８５５６Ｕ
Ｒ−Ｙ＝１．５７４８Ｖ、
また（Ｇ−Ｙ）をＵ，Ｖで現すと、
Ｇ−Ｙ＝−０．４６８１２４７２Ｕ−０．１８７３２４２７２Ｖ
となる。
【００１７】
ＲＧＢマトリクス３はＧ−Ｙマトリクス回路２で作成されたＲ−Ｙ信号、Ｂ−Ｙ信号、Ｇ−Ｙ信号に輝度信号Ｙを足すことで、Ｒ、Ｇ、Ｂ色のそれぞれのデジタル色の原信号を得る。それにコントラストガンマ調整回路４にコントラスト、ガンマ処理を行い、Ｄ／Ａコンバータ５でアナログＲＧＢ信号となり、ホワイトバランス回路６にてＲＧＢ信号のカットオフ調整とＲ信号、Ｂ信号のゲイン調整でホワイトバランスを調整する。
【００１８】
ホワイトバランスの設定で色温度を高く設定している時は、１００００ｋ以上に調整でしているので、ＮＴＳＣ方式、ＨＤＴＶ方式の標準白色温度６５００ｋに比べてホワイトバランス調整回路５でのＲゲインは低く、Ｂゲインは高くなっている。
【００１９】
ホワイトバランス調整回路６において、Ｂ信号のゲインが高いと青と黄色の色つきが強くなる。その一方、ホワイトバランス調整回路６においてＲ信号のゲインが低いと赤とシアンの色が弱くなり、そのままでは色によっては不自然な色になる場合がある。
【００２０】
そこで色温度を高くした場合は、Ｇ−Ｙマトリクス回路２においてＢ−Ｙ信号のゲインを下げ、Ｒ−Ｙ信号のゲインを上げる補正を行なうことにより、不自然な色再現を補正し好ましい色再現が行えるようにする。
【００２１】
また、マイコン７の制御により、ホワイトバランス調整回路６にてＢゲイン、Ｒのゲインを連続的に変化させることで色温度の「高、中、低」の設定を可能とし、さらに「高、中、低」間も連続的にホワイトバランス調整回路の設定を変化させることで色温度を連続敵に変化できる。
【００２２】
同時に色温度を「高」の状態においてＧ−Ｙマトリクス回路２のＢ−Ｙゲインを低く、Ｒ−Ｙゲインを高くし最適化してものを設定と、色温度を「低」の状態においてもその色温度で好ましいＢ−Ｙゲイン、Ｒ−Ｙゲインの設定を元に、色温度を高と低の間で連続的に変化させる場合もホワイトバランス調整回路５においての色温度「高，中、低」で設定したＲゲイン、Ｂゲインの変化量とそのときにＢ−Ｙゲイン、Ｒ−Ｙゲインの変化量との関係から演算したＲ−Ｙ、Ｂ−ＹのゲインでＧ−Ｙマトリクス回路設定を行なうことにより常に好ましい色再現が実現できる。
【産業上の利用可能性】
【００２３】
色温度設定の出来るテレビジョン受像機において選んだ色温度で好ましい色再現ができる。
【図面の簡単な説明】
【００２４】
【図１】テレビジョン受像機の実施方法を示したブロック図
【符号の説明】
【００２５】
１    映像フォーマット判別回路
２    Ｇ−Ｙマトリクス回路
３    ＲＧＢマトリクス回路
４    コントラストガンマ回路
５    Ｄ／Ａコンバータ
６    ホワイトバランス調整回路
７    マイコン
【図１】
2005191618.tif 000004